(57)【要約】【課題】記録用紙の幅が印字幅より大きい場合であっても、面倒な手作業による記録用紙の切断処理を必要とせずに記録用紙に生じる余白部分を取り除くことができる拡大印刷機能付きの印字装置を提供する。【解決手段】任意の文字を入力する入力手段と、入力された文字の拡大パターンを作成する拡大パターン作成手段と、記録用紙としてのテープ３をその長さ方向に搬送する搬送手段と、搬送される記録用紙の長さ方向に沿って並ぶ複数の各領域に対して、所定の印字幅で前記拡大パターン作成手段により作成される拡大パターンを分割して印字する印字手段とを備えた印字装置において、印字後の前記テープ３の搬送中に、ハーフカット刃６０をテープの側縁部に当てて、その側縁部の印字余白部にハーフカットを施す。【選択図】    図１
2005161581.tif 000002
【特許請求の範囲】
【請求項１】
任意の文字を入力する入力手段と、入力された文字の拡大パターンを作成する拡大パターン作成手段と、記録用紙をその長さ方向に搬送する搬送手段と、搬送される記録用紙の長さ方向に沿って並ぶ複数の各領域に対して、所定の印字幅で前記拡大パターン作成手段により作成される拡大パターンを分割して印字する印字手段とを備えた印字装置において、
記録用紙の幅方向の側縁部に印字後に生じる余白部分についての切断位置のデータを記憶する余白切断位置記憶手段と、
記録用紙を切断する切断手段と、
前記切断手段及び前記搬送手段を制御する切断制御手段とを備え、
前記切断制御手段は、分割された拡大パターンが印字された記録用紙の幅方向の側縁部に生じる余白部分を切断すべく、前記切断手段及び前記搬送手段を制御して前記余白切断位置記憶手段に記憶された余白切断位置のデータに従って記録用紙の幅方向の側縁部をその長さ方向に沿って切断することを特徴とする印字装置。
【請求項２】
更に、前記搬送手段によって搬送される記録用紙の幅方向のシフト量を検知するシフト量検知手段を備え、
前記切断制御手段は、前記余白切断位置記憶手段に記憶される余白切断位置のデータと前記シフト量検知手段により検知されるシフト量のデータに基づいて、前記切断手段及び前記搬送手段を制御して記録用紙の切断を行うことを特徴とする請求項１に記載の印字装置。
【請求項３】
記録用紙の用紙幅を設定する用紙幅設定手段と、
前記用紙幅設定手段により設定される用紙幅と前記印字手段の印字幅の大小を判断する判断手段とを備え、
前記判断手段により用紙幅が印字幅より小さい場合には、前記切断制御手段はその処理を行わないことを特徴とする請求項１又は２に記載の印字装置。
【請求項４】
前記用紙幅設定手段は、記録用紙の用紙幅を検知する用紙幅検知手段により構成されていることを特徴とする請求項３に記載の印字装置。
【請求項５】
前記用紙幅設定手段は、記録用紙の用紙幅の値を入力設定する入力手段により構成されていることを特徴とする請求項３に記載の印字装置。
【請求項６】
任意の文字を入力する入力手段と、入力された文字の拡大文字サイズを設定する文字サイズ設定手段と、設定された拡大文字サイズで入力された文字の拡大パターンを作成する拡大パターン作成手段と、記録用紙をその長さ方向に搬送する搬送手段と、搬送される記録用紙の長さ方向に沿って並ぶ複数の各領域に対して、所定の印字幅で前記拡大パターン作成手段により作成される拡大パターンを分割して印字する印字手段とを備えた印字装置において、
記録用紙に印字した拡大パターンの用紙幅方向の最端部を切断位置として設定する切断位置設定手段と、
記録用紙を切断する切断手段と、
前記切断手段及び前記搬送手段を制御する切断制御手段とを備え、
前記切断制御手段は、前記切断手段及び前記搬送手段を制御して前記切断位置設定手段により設定された切断位置に従って記録用紙をその長さ方向に沿って切断することを特徴とする印字装置。
【請求項７】
更に、前記搬送手段によって搬送される記録用紙の幅方向のシフト量を検知するシフト量検知手段を備え、
前記切断制御手段は、前記切断位置設定手段により設定される切断位置と前記シフト量検知手段により検知されるシフト量に基づいて、前記切断手段及び前記搬送手段を制御して記録用紙の切断を行うことを特徴とする請求項６に記載の印字装置。
【請求項８】
前記切断手段は、前記印字手段によって印字が施される記録層を含んで複数層に構成される記録用紙の記録層を切断する機能を備え、
前記切断制御手段は、前記切断手段を制御して、記録用紙の長さ方向に沿って記録層を切断することを特徴とする請求項１ないし７のいずれかに記載の印字装置。
【請求項９】
前記切断制御手段は、更に前記切断手段を制御して、記録用紙の長さ方向に沿って並ぶ前記複数の各領域の間で記録用紙の幅方向に沿って記録層を切断することを特徴とする請求項８に記載の印字装置。
【発明の詳細な説明】
【技術分野】
【０００１】
本発明は、分割して印字することにより記録用紙の幅を超える大きさの拡大文字をもつ印字物を得ることが可能な拡大印刷機能付きの印字装置に関する。
【背景技術】
【０００２】
従来、長尺の記録用紙に拡大文字を分割して印字することにより、記録用紙の幅を超える大きさの拡大文字をもつ印字物を得ることが可能な拡大印刷機能付きの印字装置として、特開平１０−３５０３６号公報に記載されるものがある。
【０００３】
この印字装置は、記録用紙の幅方向に対応してサーマルヘッドに印字用の発熱素子列が設けられ、サーマルヘッドに対して記録用紙をその長さ方向に搬送して記録用紙の長さ方向に印字を行うように構成している。そして、この印字装置では、拡大処理された入力文字のパターンを文字の縦方向に記録用紙の幅に対応して分割し、その分割した複数の文字の拡大パターンを長尺の記録用紙の長さ方向に沿って並ぶ複数の領域に印字するとともに、それらの印字領域を複数の短冊状のラベルにカットするものである。
【０００４】
このようにして得られた短冊状のラベルをその幅方向に所定の順序で並べて組み合わせることにより、記録用紙の幅を超える大きな拡大文字をもつ印字物が得られる。そして、記録用紙は、印字が行われる記録層の裏面に接着剤層を介して台紙層が貼着されているので、この台紙層を取り除いてラベルを対象物に貼着することで、元の記録用紙の数倍の幅を有して文字を大きく見易く表記した大形状の印字物として使用することができる。
【特許文献１】特開平１０−３５０３６号公報
【発明の開示】
【発明が解決しようとする課題】
【０００５】
従来の印字装置において、上述のような拡大文字を印刷する場合、サーマルヘッドの印字幅が記録用紙の幅と同等かそれより大きければ、拡大文字のパターンをその高さ方向に記録用紙の幅サイズで分割することにより、それら分割された拡大文字のパターンを記録用紙の全幅に渡って印字することが可能であるが、記録用紙の幅の方がサーマルヘッドの有効な印字幅に比べて大きい場合には、拡大文字パターンが印字される記録用紙の幅方向の側縁部に印字ができない余白部分が生じてしまう。
【０００６】
このように、記録用紙から得られた複数の短冊片をその幅方向に並べて組み合わせたときに、その短冊片の全幅に渡って余白なく印字がなされていれば、隣接する短冊片間で印字された拡大文字パターンが互いに連続することになるが、短冊片の幅方向の側縁部に余白があると、隣接する短冊片の余白部分で拡大文字パターンが不連続になってしまう。
【０００７】
そのため、印字装置での印字後に、短冊片の長さ方向に沿って形成された余白部分を切り落とすことが必要になる。
【０００８】
しかし、複数枚の短冊片について、ハサミなどを使う手作業で余分な部分を切り落とすという後処理を行うことは面倒である。また短冊片をその長辺に沿って長辺に平行な直線できれいに切断することも難しい。
【０００９】
本発明はこのような点に着目してなされたもので、記録用紙の幅が印字幅より大きい場合であっても、面倒な手作業による記録用紙の切断処理を必要とせずに記録用紙に生じる余白部分を取り除くことができる拡大印刷機能付きの印字装置を提供することを目的とする。
【課題を解決するための手段】
【００１０】
請求項１の発明は、任意の文字を入力する入力手段と、入力された文字の拡大パターンを作成する拡大パターン作成手段と、記録用紙をその長さ方向に搬送する搬送手段と、搬送される記録用紙の長さ方向に沿って並ぶ複数の各領域に対して、所定の印字幅で前記拡大パターン作成手段により作成される拡大パターンを分割して印字する印字手段とを備えた印字装置において、記録用紙の幅方向の側縁部に印字後に生じる余白部分についての切断位置のデータを記憶する余白切断位置記憶手段と、記録用紙を切断する切断手段と、前記切断手段及び前記搬送手段を制御する切断制御手段とを備え、前記切断制御手段は、分割された拡大パターンが印字された記録用紙の幅方向の側縁部に生じる余白部分を切断すべく、前記切断手段及び前記搬送手段を制御して前記余白切断位置記憶手段に記憶された余白切断位置のデータに従って記録用紙の幅方向の側縁部をその長さ方向に沿って切断することを特徴としている。
【００１１】
請求項２の発明は、更に、前記搬送手段によって搬送される記録用紙の幅方向のシフト量を検知するシフト量検知手段を備え、前記切断制御手段は、前記余白切断位置記憶手段に記憶される余白切断位置のデータと前記シフト量検知手段により検知されるシフト量のデータに基づいて、前記切断手段及び前記搬送手段を制御して記録用紙の切断を行うことを特徴としている。
【００１２】
請求項３の発明は、記録用紙の用紙幅を設定する用紙幅設定手段と、前記用紙幅設定手段により設定される用紙幅と前記印字手段の印字幅の大小を判断する判断手段とを備え、前記判断手段により用紙幅が印字幅より小さい場合には、前記切断制御手段はその処理を行わないことを特徴としている。
【００１３】
請求項４の発明は、前記用紙幅設定手段は、記録用紙の用紙幅を検知する用紙幅検知手段により構成されていることを特徴としている。
【００１４】
請求項５の発明は、前記用紙幅設定手段は、記録用紙の用紙幅の値を入力設定する入力手段により構成されていることを特徴としている。
【００１５】
請求項６の発明は、任意の文字を入力する入力手段と、入力された文字の拡大文字サイズを設定する文字サイズ設定手段と、設定された拡大文字サイズで入力された文字の拡大パターンを作成する拡大パターン作成手段と、記録用紙をその長さ方向に搬送する搬送手段と、搬送される記録用紙の長さ方向に沿って並ぶ複数の各領域に対して、所定の印字幅で前記拡大パターン作成手段により作成される拡大パターンを分割して印字する印字手段とを備えた印字装置において、記録用紙に印字した拡大パターンの用紙幅方向の最端部を切断位置として設定する切断位置設定手段と、記録用紙を切断する切断手段と、前記切断手段及び前記搬送手段を制御する切断制御手段とを備え、前記切断制御手段は、前記切断手段及び前記搬送手段を制御して前記切断位置設定手段により設定された切断位置に従って記録用紙をその長さ方向に沿って切断することを特徴としている。
【００１６】
請求項７の発明は、更に、前記搬送手段によって搬送される記録用紙の幅方向のシフト量を検知するシフト量検知手段を備え、前記切断制御手段は、前記切断位置設定手段により設定される切断位置と前記シフト量検知手段により検知されるシフト量に基づいて、前記切断手段及び前記搬送手段を制御して記録用紙の切断を行うことを特徴としている。
【００１７】
請求項８の発明は、前記切断手段は、前記印字手段によって印字が施される記録層を含んで複数層に構成される記録用紙の記録層を切断する機能を備え、前記切断制御手段は、前記切断手段を制御して、記録用紙の長さ方向に沿って記録層を切断することを特徴としている。
【００１８】
請求項９の発明は、前記切断制御手段は、更に前記切断手段を制御して、記録用紙の長さ方向に沿って並ぶ前記複数の各領域の間で記録用紙の幅方向に沿って記録層を切断することを特徴としている。
【発明の効果】
【００１９】
本発明によれば、記録用紙の幅が印字幅より大きい場合であっても、面倒な手作業による記録用紙の切断処理を必要とせずに記録用紙に生じる余白部分を取り除くことができる。
【００２０】
特に、請求項６の発明によれば、文字サイズ設定手段により拡大文字の文字サイズを設定することができる。
【発明を実施するための最良の形態】
【００２１】
図１は本発明の実施の形態に係る印字装置が備える印字機構及び切断機構の構成を示す図である。図２は切断機構の構成を示す図である。
印字装置１はカセット装着部１１を備え、このカセット装着部１１内に長尺の記録用紙としてのテープ３を収容したカセット２が装着される。カセット装着部１１内には、幅の異なるテープ３を収容した複数種類のカセット２の装着が可能で、その複数種類の中から任意に選択されたカセット２が装着される。
【００２２】
各カセット２には、その内部のテープ３の幅を表す識別部２ａが設けられている。そして、カセット装着部１１には、その各識別部２ａに対応する複数のテープ幅検知用のスイッチ１１ａ，１１ｂ，１１ｃが設けられている。
【００２３】
前記識別部２ａはカセット２の種類に応じて異なる形状をなし、その形状の違いによりカセット装着部１１の複数のスイッチ１１ａ〜１１ｃが異なる組み合わせでオン・オフ動作して、その装着されたカセット２のテープ幅を検知するようになっている。
【００２４】
また、この印字装置１は、カセット装着部１１及びこの装着部１１からその外部に通じる搬送路１２を有し、この搬送路１２に沿って、プリンタ部２１、全カット部３１、テープ搬送部４１、ハーフカット部５１及びテープ案内部６５が設けられている。
【００２５】
テープ３は記録層４と台紙層５とを接着剤層６を介して積層してなり、テープ供給リール７に巻回されてカセット２内に収容されている。また、カセット２内には、リボン供給リール９に巻回され、リボン巻取りリール１０に巻き取られるインクリボン８が収容されている。
【００２６】
プリンタ部２１は、テープ３の記録層４にインクリボン８のインクで熱転写印刷を行うサーマルヘッド２２と、テープ３及びインクリボン８をカセット２から引き出してサーマルヘッド２２に供給し、印字後のテープ３及びインクリボン８を搬送路１２の下流側方向（正方向）に送るプラテンローラ２３と、熱転写により使用されたインクリボン８をカセット２内に回収するためのリボン巻取りリール１０を回転駆動するリボン巻取り軸２４とを備える。
【００２７】
前記サーマルヘッド２２は、テープ３の幅方向に配列する複数の発熱素子からなる発熱体を有し、その発熱体の所定の発熱素子が印刷データによって発熱駆動され、これによりテープ３の記録層４にインクリボン８のインクで熱転写印刷を行うようになっている。なお、カセット２がカセット装着部１１に装着されたときには、テープ３の幅方向の中心と前記サーマルヘッド２２の発熱体の幅の中心とが一致する位置関係にある。
【００２８】
前記プラテンローラ２３及びリボン巻取り軸２４は、ステップモータ２５及びそのモータ２５の駆動を伝達する図示しない駆動伝達機構によって回転駆動される。また、前記サーマルヘッド２２は、カセット２のカセット装着部１１への着脱時に図示しないヘッド移動機構によってプラテンローラ２３に対して移動可能となっている。
【００２９】
前記全カット部３１は、プリンタ部２１の下流側の搬送路１２に設けられ、テープ３の記録層４、台紙層５及び接着剤層６の全層をその幅方向に沿って切断する。この全カット部３１は、テープ３の搬送路１２の上方側で搬送路１２に対して垂直方向に配設される固定刃３２と、テープの搬送路１２の下方側で固定刃３２と対向し、固定刃３２に沿って移動可能に設けられた回転刃ユニット３３とを備える。
【００３０】
回転刃ユニット３３は、固定刃３２と並行して配設されたガイドレール３４及びそのガイドレール３４上を往復移動可能に設けられた回転刃キャリッジ３５を備え、回転刃キャリッジ３５には、固定刃３２と対向してディスク状の回転刃３６が取り付けられているとともに、キャリッジ移動用のモータ３７が搭載されている。
【００３１】
回転刃キャリッジ３５は、モータ３７を駆動源としてガイドレール３４上を自走するものであり、モータ３７の出力側にはギア列が設けられ、その最終段のピニオンギア３８がガイドレール３４と並行に設けられたラックギア３９に噛み合っている。
【００３２】
前記テープ搬送部４１は全カット部３１の下流側の搬送路１２に設けられている。このテープ搬送部４１は、正逆転駆動されるステップモータ４２と、このモータ４２を駆動源とし図示しないギア列を介して正逆に回転駆動されるフィードローラ４３ａ，４３ｂと、これらのフィードローラ４３ａ，４３ｂに圧接するピンチローラ４４ａ，４４ｂとを備える。
【００３３】
前記ステップモータ４２が正転駆動されることで、フィードローラ４３ａ，４３ｂとピンチローラ４４ａ，４４ｂとの間に挟まれて搬送されるテープ３が搬送路１２の下流側に送られ、またステップモータ４２が逆転駆動されることで、フィードローラ４３ａ，４３ｂとピンチローラ４４ａ，４４ｂとの間に挟まれて搬送されるテープ３が搬送路１２の上流側に送られる。
【００３４】
前記ハーフカット部５１は全カット部３１及びテープ搬送部４１の下流側の搬送路１２に設けられ、テープ３の記録層４のみを切断する。
【００３５】
このハーフカット部５１は、テープ３の搬送路１２の上方側で搬送路１２に対して垂直方向に配設される受台５２と、テープの搬送路１２の下方側で受台５２と対向し、受台５２に沿って移動可能に設けられたハーフカットユニット５３とを備える。
【００３６】
ハーフカットユニット５３は、受台５２と並行して配設されたガイドレール５４，５５及びそのガイドレール５４，５５上を往復移動可能に設けられたハーフカットキャリッジ５６を備える。ハーフカットキャリッジ５６には、ソレノイド５７が設けられ、このソレノイド５７のプランジャ５８にはカッタホルダ５９にハーフカット刃６０を取り付けてなるカッティングペン６０ａが固定されている。
【００３７】
ハーフカット刃６０は受台５２と対向しソレノイド５７の駆動により受台５２に対して進退する方向に移動される。このハーフカット刃６０は受台５２に沿って移動するテープ３の記録層４のみを切断するように、ソレノイド５７のプランジャ５８の移動ストロークが設定され、かつカッタホルダ５９に対するハーフカット刃６０の突出量が調整されている。
【００３８】
また、ソレノイド５７のプランジャ５８には、テープ３の幅方向の両側縁部の位置を検知するテープ縁検知センサ８２が設けられ、ハーフカットキャリッジ５６をテープ３の幅方向に移動させて搬送路１２に位置するテープ３の幅方向の両側縁部の位置を検知することができるようになっている。
【００３９】
ハーフカットキャリッジ５６には、キャリッジ移動用のステップモータ６１が搭載されている。ハーフカットキャリッジ５６は、ステップモータ６１を駆動源としてガイドレール５４，５５上を自走するものであり、ステップモータ６１の出力側にはギア列が設けられ、その最終段のピニオンギア６２がガイドレール５４，５５と並行に設けられたラックギア６３に噛み合っている。
【００４０】
前記テープ案内部６５は、全カット部３１の下流側で、ハーフカット部５１及びテープ搬送部４１の上流側の搬送路１２に設けられている。このテープ案内部６５は下流側に向けて湾曲状の案内面６７を有する可動案内部材６６を備える。この可動案内部材６６は、ソレノイド６８によって、テープ３の搬送に干渉しない搬送路１２から外れる非作動位置と、搬送路１２に進入して搬送路１２上でのテープ３の搬送に干渉する作動位置とに移動可能とされている。なお、テープ案内部６５が設けられる近部の搬送路１２の外側には全カット部３１によって切断されたテープ片が逆搬送されたときに収容される排出部６９が設けられている。
【００４１】
図３は、テープ３と印字機構と切断機構の位置関係及びテープ３の切断位置について説明する図である。
【００４２】
図３に示すように、サーマルヘッド２２の発熱体の幅はＨであり、印字時にはＷ１，Ｗ２，Ｗ３と幅の異なる３種類のテープ３ａ，３ｂ，３ｃが収容された３種類のカセット２のうちの１つがカセット装着部１１に装着され、そのテープが搬送路１２に引き出されて印字及び切断処理が行なわれる。
テープ３ａ，３ｂ，３ｃの幅Ｗ１，Ｗ２，Ｗ３は、Ｗ１＞Ｗ２＞Ｗ３の関係にあり、Ｗ１，Ｗ２はサーマルヘッド２２の幅Ｈより大きく、Ｗ３はサーマルヘッド２２の幅Ｈより小さい。
【００４３】
３種類のカセット２がカセット装着部１１に選択的に装着された場合には、サーマルヘッド２２の発熱体の幅方向の中心Ｓとそれぞれのテープ３ａ，３ｂ，３ｃの幅方向の中心とが一致するような位置関係を保って搬送路１２に引き出される。
【００４４】
図３において、ラインＬは、テープ３ａ，３ｂ，３ｃの幅方向に沿ってハーフカットキャリッジ５６と一体的にハーフカット刃６０が移動する位置を示しており、ＯはラインＬ上に設定した基準点である。この基準点Ｏは、幅の最も大きいテープ３ａの一側縁部（図３のテープ３ａの上端縁）の位置に相当し、テープ３ａの一側縁部は図示しない位置合わせ用のガイド部材に沿って移動する。
【００４５】
この印字装置１では拡大文字の印字の際に、サーマルヘッド２２の発熱体の全幅で印字を行うものであるが、テープ３ａ，３ｂはサーマルヘッド２２の幅Ｈより大きいため、サーマルヘッド２２の全幅で印字してもテープ３ａ，３ｂの幅方向の両側縁部に印字が不可能な余白部分が生じることになる。
【００４６】
ラインＬ上の２点ＰとＱとは前記余白部分を切断する切断位置であり、点Ｐは、テープ幅方向において、基準点Ｏから（Ｗ１−Ｈ）／２の距離だけ離れた位置であり、点Ｑは、（Ｗ１＋Ｈ）／２の距離だけ離れた位置である。Ｃ１１、Ｃ１２、Ｃ２１、Ｃ２２はテープ３ａ，３ｂに形成されるハーフカットによる切断線を示している。なお、テープ３ｃはサーマルヘッド２２の発熱体の幅より小さく、余白が生じないので切断は行なわれない。
【００４７】
図４は、印字装置１の電子回路のブロック図を示す。
【００４８】
この印字装置１の電子回路は、ＣＰＵからなる制御部７０を備え、この制御部７０には、印字装置１の動作処理に関するシステムプログラムや切断の処理に必要な前述のＰ点及びＱ点の位置を示す切断位置のデータなどのデータを記憶するＲＯＭ７１、入力データや印刷データを記憶する領域や制御に必要な各種の情報を記憶するレジスタやカウンタなどの領域が設定されるＲＡＭ７２が接続されている。
【００４９】
また、制御部７０には、サーマルヘッド２２の発熱体を印刷データに応じて発熱駆動する駆動回路７３、プラテン２３やリボン巻取り軸２４を回転駆動するためのステップモータ２５の駆動回路７４、回転刃キャリッジ３５の自走用のモータ３７を駆動する駆動回路７５、フィードローラ４３ａ，４３ｂの駆動源のステップモータ４２を駆動する駆動回路７６、ハーフカットキャリッジ５６の自走用のステップモータ６１を駆動する駆動回路７７、カッティングペン６０ａ（ハーフカット刃６０）をテープ３に対して移動させるソレノイド５７を駆動する駆動回路７８、可動案内部材６６の移動用のソレノイド６８を駆動する駆動回路７９が接続されている。
【００５０】
また、制御部７０には、フィードローラ４３ａ，４３ｂによるテープ３の送り量と、そのテープ３に対するハーフカットキャリッジ５６の移動量とを検知するためのエンコーダ８０，８１、及びカセット装着部１１に設けられたテープ幅検知スイッチ１１ａ，１１ｂ，１１ｃ、キャリッジ５６に設けられたテープ縁検知センサ８２が接続されている。
【００５１】
更に、制御部７０には、印字すべきデータの入力や種々の設定を行うキー入力部８３、印字及び切断処理に関する種々のデータの表示を行う表示部８４が接続されている。
【００５２】
次に、この印字装置１を用いて拡大文字の印字を行う場合の動作について説明する。
【００５３】
図５は拡大文字の印字モードでの印字動作の流れを示してある。
【００５４】
この印字装置１では、拡大文字の印字モードにおいて、縦横がサーマルヘッド２２の幅Ｈの４倍のサイズの拡大文字を４枚のラベルに分割して印字することが可能となっている。
拡大文字の印字が指示されると、所定のイニシャル処理が行われ、分割印字カウンタＮが４にセットされる（ステップＳ１）。次に、カセット装着部１１に設置されたテープ幅検知スイッチ１１ａ，１１ｂ，１１ｃにより、カセット装着部１１に装着されたカセット２のテープ３の幅が検知され、その検知されたテープ幅がＷ３のサイズか否か判断される（ステップＳ２、Ｓ３）。
【００５５】
テープ幅がＷ３ではない場合、すなわちテープ幅がＷ１又はＷ２の場合には、キー入力部８３から入力された印字すべき文字について、縦横が４×Ｈのサイズの拡大パターンの印字データが作成される（ステップＳ４）。次に、その拡大パターンを縦方向に４分割したうちの最初の一つの文字パターンの印字が行われる（ステップＳ５）。
【００５６】
印字が終了すると、その印字部分のテープが全カット部３１により幅方向に切断されて切り離される（ステップＳ６）。次にテープ案内部６５を作動させる（ステップＳ７）。
【００５７】
また、図４で説明した点Ｐと点Ｑに関する切断位置のデータがＲＯＭ７１から読み出されてＲＡＭ７２に設定される（ステップＳ８）。次に、ハーフカットキャリッジ５６をテープ幅方向に走行させてテープ縁検知センサ８２によりテープの幅方向の両側縁部の位置が検知され、正規のテープ搬送位置に対するシフト量の検出が行われる（ステップＳ９）。
【００５８】
図３に示すように、正規のテープ搬送位置は、テープ３ａにあっては、その一側縁が基準点Ｏの位置であり、他側縁が基準点ＯからＷ１の距離だけ離れた位置である。また、テープ３ｂにあっては、その一側縁が基準点Ｏから（Ｗ１−Ｗ２）／２の距離だけ離れた位置であり、他側縁が基準点Ｏから（Ｗ１＋Ｗ２）／２の距離だけ離れた位置である。そして、その検出されたシフト量に基づいて先に設定した切断位置のデータを補正して再設定が行われる（ステップＳ１０）。
【００５９】
次に、その設定されたデータに基づく点Ｐの位置にハーフカット刃６０を位置させ、テープを長さ方向の正方向に搬送してハーフカットを行い、また点Ｑの位置にハーフカット刃６０を位置させ、テープを長さ方向の逆方向に搬送してハーフカットを行う（ステップＳ１１）。
【００６０】
このハーフカットが終了すると、テープは短冊状のラベルとして、図２に示すように可動案内部材６６の案内面６７に沿って装置外の排出部６９に排出され（ステップＳ１２）、分割印字カウンタＮがデクリメントされてその値が１かどうか判断される（ステップＳ１３，Ｓ１４）。
【００６１】
図６に示す最上段のラベル１００ａは、テープ３ａに対して分割印字された第１枚目のラベルであり、印字された拡大文字パターンのテープ幅方向の両側部に形成される余白部分にハーフカットによる切断線Ｃ１１，Ｃ１２が形成される。
【００６２】
ステップＳ１４でＮ＝１ではないと判断されると、ステップＳ５に戻ってステップＳ１４までの処理が繰り返されて、図６の２段目に示すように２枚目のラベル１００ｂに拡大文字の２番目の分割印字が行われ、同様にしてステップＳ５ないしステップＳ１４の処理が繰り返されて、３枚目のラベル１００ｃに拡大文字の３番目の分割印字が行われ、４枚目のラベル１００ｄに拡大文字の４番目の分割印字が行われる。
【００６３】
図７は切断線Ｃ１，Ｃ２から余白部分を取り除き、かつラベルの印字部分だけを台紙層５から剥がして４枚のラベル１００ａ〜１００ｄを組み合わせた状態を示す。
【００６４】
なお、組み合わせた場合の上下両側縁部のラベルのそれぞれの上側縁部及び下側縁部の切断線、すなわち図６において、ラベル１００ａの切断線Ｃ１とラベル１００ｄの切断線Ｃ２は形成しなくともよい。
【００６５】
ステップＳ１４でＮ＝１と判断され全ての印字が終了すれば処理を終了する。また、ステップＳ３でテープ幅がＷ３であると判断された場合には、キー入力部８３から入力された印字すべき文字について、縦横が４×Ｗ３の拡大パターンの印字データが作成される（ステップＳ１５）。
【００６６】
次に、その拡大パターンを縦方向に４分割したパターンの一つの印字が行われる（ステップＳ１６）。印字が終了すると、その印字部分のテープが全カット部３１により幅方向に切断されて切り離される（ステップＳ１７）。この場合にはテープ３ｃの幅Ｗ３の全幅に拡大文字パターンが印字され、余白が生じないため、ハーフカットの処理を行うことなく、テープを装置外に排出させ、分割印字カウンタＮがデクリメントされてその値が１かどうか判断される（ステップＳ１８、Ｓ１９，Ｓ２０）。ステップＳ２０でＮ＝１ではないと判断されると、ステップＳ１６に戻ってステップＳ２０までの処理が繰り返されて４枚のラベルに拡大文字が４分割されて印字されることになる。
【００６７】
なお、テープの幅をテープ幅検知スイッチ１１ａ，１１ｂ，１１ｃにより検知したが、キー入力部８３からテープ幅の数値を入力設定するようにしてもよい。
【００６８】
前記実施の形態では、拡大文字の文字サイズが予め決められているが、拡大文字の文字サイズをユーザーが設定できるようにしてもよい。例えば、テープ３ａを使用して縦横がサーマルヘッド２２の発熱体の幅Ｈの２倍、３倍、４倍の各拡大文字を４分割して印字できるものとする。なお、テープ３ａの幅Ｗ１とサーマルヘッド２２の幅Ｈとの関係は、Ｗ１＝１．４Ｈとする。
【００６９】
以下、図８に基づいて拡大文字の文字サイズを指定して分割印字する場合の例について説明する。
【００７０】
まず、ユーザーは、キー入力部８３から拡大印字する文字データを入力し、また表示部８４の設定画面を使って縦横が２Ｈ、３Ｈ及び４Ｈの中から所望する１つの拡大文字の文字サイズを設定する。設定した文字サイズはＲＡＭ７２の所定の領域に記憶される。
【００７１】
そして、拡大文字の印字が指示されると、所定のイニシャル処理が行われ、分割印字カウンタＮが４にセットされる（ステップＳ２１）。
【００７２】
次に、設定された文字サイズに従って拡大文字のパターンが作成される（ステップＳ２２）。例えば、縦横が２Ｈの文字サイズが設定されている場合には、縦横が２Ｈの拡大文字のパターンが作成され、縦横が３Ｈの文字サイズが設定されている場合には、縦横が３Ｈの拡大文字のパターンが作成され、縦横が４Ｈの文字サイズが設定されている場合には、縦横が４Ｈの拡大文字のパターンが作成されることになる。
【００７３】
次に、その拡大パターンを縦方向に４分割したうちの最初の一つの文字パターンの印字が行われる（ステップＳ２３）。このとき、設定された文字サイズに応じてサーマルヘッド２２の所定の範囲で発熱体が駆動されて印字が行われる。すなわち、縦横が２Ｈの文字サイズが設定されている場合には、サーマルヘッド２２の全幅Ｈに対して中央部の（１／２）Ｈの範囲で発熱体が駆動される。
【００７４】
また、縦横が３Ｈの文字サイズが設定されている場合には、サーマルヘッド２２の中央部の（３／４）Ｈの範囲で発熱体が駆動される。また、縦横が４Ｈの文字サイズが設定されている場合には、サーマルヘッド２２の全幅Ｈで発熱体が駆動される。
【００７５】
ステップＳ２３の印字が終了すると、印字部分のテープが全カット部３１により幅方向に切断されて切り離される（ステップＳ２４）。次にテープ案内部６５を作動させる（ステップＳ２５）。
【００７６】
次に、設定された文字サイズに対応するハーフカットの切断位置のデータがＲＯＭ７１に設けられている切断位置テーブル１１０から読み出されてＲＡＭ７２の所定のレジスタに設定される（ステップＳ２６）。この切断位置の設定に用いる切断位置テーブル１１０には、図９に示すように、縦横２Ｈ、３Ｈ、４Ｈのそれぞれの拡大文字サイズに対応して前述の図４に示すＰ点及びＱ点の２つの切断位置のデータが記憶されている。
【００７７】
図９について説明すると、縦横が２Ｈの文字サイズでは、幅Ｗ１のテープ３ａに４分割により印字をするため、１回の印字ではサーマルヘッド２２の中央部の（１／２）Ｈが駆動範囲となり、上下側縁には（１／２）Ｗ１−（１／４）Ｈの幅の余白が生じる。従って、切断位置Ｐ点は基準点Ｏから（１／２）Ｗ１−（１／４）Ｈの距離だけ離れた位置にあり、切断位置Ｑ点は基準点Ｏから（１／２）Ｗ１＋（１／４）Ｈの距離だけ離れた位置にある。
【００７８】
また、縦横が３Ｈの文字サイズでは、サーマルヘッド２２の中央部の（３／４）Ｈが駆動範囲であるため、上下側縁には（１／２）Ｗ１−（３／８）Ｈの幅の余白が生じる。従って、切断位置Ｐ点は基準点Ｏから（１／２）Ｗ１−（３／８）Ｈの距離だけ離れた位置にあり、切断位置Ｑ点は基準点Ｏから（１／２）Ｗ１＋（３／８）Ｈの距離だけ離れた位置にある。
【００７９】
さらに、縦横が４Ｈの文字サイズでは、サーマルヘッド２２の全幅が駆動範囲であるため、上下側縁には（１／２）Ｗ１−（１／２）Ｈの幅の余白が生じる。従って、切断位置Ｐ点は基準点Ｏから（１／２）Ｗ１−（１／２）Ｈの距離だけ離れた位置にあり、切断位置Ｑ点は基準点Ｏから（１／２）Ｗ１＋（１／２）Ｈの距離だけ離れた位置にある。
【００８０】
これらの切断位置Ｐ点及びＱ点はテープ３ａに分割されて印字される拡大パターンのテープ幅方向の最端部となり、これらの切断位置よりテープ幅方向の両側縁部側が印字が行われない余白となる。
【００８１】
ステップＳ２６の切断位置の設定の後に、ハーフカットキャリッジ５６をテープ幅方向方向に移動させてテープ縁検知センサ８２によりテープの幅方向の両側縁部の位置が検知され、正規のテープ搬送位置に対するシフト量の検出が行われ、その検出されたシフト量に基づいて先に設定した切断位置のデータを補正して再設定が行われる（ステップＳ２７、Ｓ２８）。
【００８２】
そして、その設定されたデータに基づく点Ｐの位置にハーフカット刃６０を位置させ、テープを長さ方向に搬送してハーフカットを行い、また点Ｑの位置にハーフカット刃６０を位置させ、テープを長さ方向に搬送してハーフカットを行う（ステップＳ２９）。
【００８３】
このハーフカットが終了すると、テープは装置外にラベルとして排出され（ステップＳ３０）、分割印字カウンタＮがデクリメントされてその値が１かどうか判断される（ステップＳ３１，Ｓ３２）。
【００８４】
ステップＳ３２でＮ＝１ではないと判断されると、ステップＳ２３に戻ってステップＳ３２までの処理が繰り返されて４枚のラベルに拡大文字が４分割されて印字されることになる。
【図面の簡単な説明】
【００８５】
【図１】本発明の一実施形態に係る印字装置の構成を示す構成図。
【図２】その印字装置の一部の構成を示す構成図。
【図３】その印字装置におけるテープと印字機構と切断機構の位置関係及びテープの切断位置についての説明図である。
【図４】その印字装置の電気回路の構成を示すブロック図。
【図５】その印字装置の動作の流れを示すフローチャート。
【図６】その印字装置によりテープを切断して得られたラベルを示す平面図。
【図７】そのラベルの余白部分を取り除いて互に隣接するように並べた状態の平面図。
【図８】本発明の他の実施形態に係る印字装置の動作の流れを示すフローチャート。
【図９】その印字装置における切断位置テーブルの説明図。
【符号の説明】
【００８６】
１…印字装置
２…カセット
３…テープ
４…記録層
５…台紙層
６…接着剤層
７…テープ供給リール
８…インクリボン
９…リボン供給リール
１０…リボン巻取りリール
１１…カセット装着部
１１ａ，１１ｂ，１１ｃ…テープ幅検知スイッチ
１２…搬送路
２１…プリンタ部
２２…サーマルヘッド
２３…プラテンローラ
２４…リボン巻取り軸
３１…全カット部
３２…固定刃
３３…回転刃ユニット
３４…ガイドレール
３５…回転刃キャリッジ
３６…回転刃
３７…モータ
４１…テープ搬送部
４２…モータ
４３ａ，４３ｂ…フィードローラ
４４ａ，４４ｂ…ピンチローラ
５１…ハーフカット部
５２…受台
５３…ハーフカットユニット
５４，５５…ガイドレール
５６…ハーフカットキャリッジ
５７…ソレノイド
５８…プランジャ
５９…カッタホルダ
６０…ハーフカット刃
６５…テープ案内部
６６…可動案内部材
６７…案内面
６８…ソレノイド
６９…排出部
８２…テープ縁検知センサ
１００ａ〜１００ｄ…ラベル
【図１】
2005161581.tif 000003
【図２】
2005161581.tif 000004
【図３】
2005161581.tif 000005
【図４】
2005161581.tif 000006
【図５】
2005161581.tif 000007
【図６】
2005161581.tif 000008
【図７】
2005161581.tif 000009
【図８】
2005161581.tif 000010
【図９】
2005161581.tif 000011